(57)【特許請求の範囲】
【請求項１】
送信機側で検出された温度又は湿度の少なくとも一方を受信し、温度又は湿度を制御する空調装置へ該温度又は湿度に対応させた０Ｖ又は０ mＡよりもオフセットした対応値を出力する温湿度受信機において、
送信機側から送られたデータが異常、或いは、送信機からデータが送られない際には、０Ｖ又は０ mＡを空調装置へ出力することを特徴とする温湿度受信機。
【請求項２】
送信機側で検出された温度又は湿度の少なくとも一方を受信し、温度又は湿度を制御する空調装置へ該温度又は湿度に対応させた０Ｖ又は０ mＡよりもオフセットした対応値を出力する温湿度受信機において、
送信機側から送られたデータが異常、或いは、送信機からデータが送られない際には、
（Ａ）０Ｖ又は０ mＡを空調装置へ出力する、
（Ｂ）受信機側に備えられた温度又は湿度の検出装置の測定値を空調装置へ出力する、
（Ｃ）データ異常又はデータ不送信となる直前に送信機側から送られた検出値を空調装置へ出力する、
内の少なくとも３つの中から一つを選択できる選択手段を設けたことを特徴とする温湿度受信機。
【請求項３】
検出した温度値・湿度値を送信する複数個の送信機と、前記複数個の送信機から送られた温度値・湿度値を受信し、該温度値・湿度値に対応させた０Ｖ又は０ mＡよりもオフセットした対応値を出力する温湿度受信機と、を備え、該温湿度受信機からの出力に基づき温度及び湿度を制御する空調装置であって、
前記温湿度受信機が、送信機側から送られたデータが異常、或いは、送信機からデータが送られない際には、０Ｖ又は０ mＡを出力することを特徴とする空調装置。
【請求項４】
検出した温度値・湿度値を送信する複数個の送信機と、前記複数個の送信機から送られた温度値・湿度値を受信し、該温度値・湿度値に対応させた０Ｖ又は０ mＡよりもオフセットした対応値を出力する温湿度受信機と、を備え、該温湿度受信機からの出力に基づき温度及び湿度を制御する空調装置であって、
前記温湿度受信機に、送信機側から送られたデータが異常、或いは、送信機からデータが送られない際には、
（Ａ）０Ｖ又は０ mＡを空調装置へ出力する、
（Ｂ）受信機側に備えられた温度又は湿度の検出装置の測定値を空調装置へ出力する、
（Ｃ）データ異常又はデータ不送信となる直前に送信機側から送られた検出値を空調装置へ出力する、
内の少なくとも３つの中から一つを選択できる選択手段を設けたことを特徴とする空調装置。
【発明の詳細な説明】
【０００１】
【発明の属する技術分野】
この発明は、温湿度受信機及び空調装置に関し、特に、送信機側に備えられた温度・湿度検出器にて検出され無線により送信されたデータを受信して空調装置へ出力する温湿度受信機、及び該温湿度受信機を備える空調装置に関するものである。
【０００２】
【従来の技術】
現在、ビル、工場、農業用温室ハウス、倉庫、バイオ用栽培室等の空調装置においては、温度及び湿度を設定された値に保つため被調整室内に温度・湿度センサが配設されている。ここで、該温度・湿度センサは、無線にて温度・湿度を送出するタイプのもの（無線式温湿度送信機）がある。現在、講堂等の比較的広い場所を空調する際には、複数個の温湿度送信機を講堂内の各場所に配設し、該複数の温湿度送信機から送られた測定値を単一の温湿度受信機にて受信し、該温湿度受信機からのデータに基づき空調装置を制御することで、きめ細かい温湿度制御を実現している。
【０００３】
【発明が解決しようとする課題】
しかしながら、上記無線式の温湿度受信機は、内蔵された電池により常時温度・湿度の測定をし、更に測定した値を無線により送出しているため、電池電力の消耗により測定値を送出できなくなることがあり、また、外部から電力の供給を受けるタイプの温湿度検出器も、電力線の断線によってデータを送信できなくなることがある。更に、温湿度送信機の近傍に障害物が置かれ、該温湿度送信機からの電波が温湿度受信機側まで届かなくなることもある。
【０００４】
また、湿度センサとして多孔質のセンサを用いた場合、多孔質中で水分の吸脱着を繰り返しているため、該多孔質中に埃が詰まり、湿度センサの検出値が経年に伴って徐々に高まっていく。更に、経年により出力がシフトする湿度センサ等は、定期交換が容易なようにユニット化してソケットへ差し込み得るように構成されている。このため、何らかの異常により該湿度センサ、或いは、温度センサユニットがソケットから抜け落ちて、測定を継続できなくなることがある。更に、外部から衝撃を受けて故障する場合もある。かかる事態が発生した際には、温湿度送信機から現実の値とは異なる温度・湿度データが温湿度受信機側に送出されることとなる。
【０００５】
ここで、空調装置を該温湿度送信機から送られた温度・湿度データに基づいて制御している場合、温湿度送信機からデータが送られなくなると、制御が続けられなくなる。更に、温湿度送信機側で発生した障害によつて、誤ったデータが温湿度受信機側へ送られてくることもある。ここで、該誤ったデータに基づき空調装置が制御されると、空調機が現実の湿度温度とかけ離れた制御を行うこととなる。特に、上述したようにセンサの経年劣化ではなく、例えば、ソケットから湿度センサが脱落すると、湿度０％等の値が温湿度受信機側へ出力され、現実には存在し得ない状態に基づき空調機が制御されることとなる。
【０００６】
本発明は、上述した課題を解決するためになされたものであり、その目的とするところは、送信機側からの温湿度データが異常、或いは、送信機からの温湿度データが送られない際にも、空調装置に適切な動作を行わしめる温湿度受信機、及び該温湿度受信機を備える空調装置を提供することにある。
【０００８】
【課題を解決するための手段】
請求項１の発明は、上記目的を達成するため、
送信機側で検出された温度又は湿度の少なくとも一方を受信し、温度又は湿度を制御する空調装置へ該温度又は湿度に対応させた０Ｖ又は０ mＡよりもオフセットした対応値を出力する温湿度受信機において、
送信機側から送られたデータが異常、或いは、送信機からデータが送られない際には、０Ｖ又は０ mＡを空調装置へ出力することを技術的特徴とする。
【００１０】
また、請求項２の発明は、送信機側で検出された温度又は湿度の少なくとも一方を受信し、温度又は湿度を制御する空調装置へ該温度又は湿度に対応させた０Ｖ又は０ mＡよりもオフセットした対応値を出力する温湿度受信機において、
送信機側から送られたデータが異常、或いは、送信機からデータが送られない際には、
（Ａ）０Ｖ又は０ mＡを空調装置へ出力する、
（Ｂ）受信機側に備えられた温度又は湿度の検出装置の測定値を空調装置へ出力する、
（Ｃ）データ異常又はデータ不送信となる直前に送信機側から送られた検出値を空調装置へ出力する、
内の少なくとも３つの中から一つを選択できる選択手段を設けたことを技術的特徴とする。
【００１３】
また、請求項３の発明は、検出した温度値・湿度値を送信する複数個の送信機と、前記複数個の送信機から送られた温度値・湿度値を受信し、該温度値・湿度値に対応させた０Ｖ又は０ mＡよりもオフセットした対応値を出力する温湿度受信機と、を備え、該温湿度受信機からの出力に基づき温度及び湿度を制御する空調装置であって、
前記温湿度受信機が、送信機側から送られたデータが異常、或いは、送信機からデータが送られない際には、０Ｖ又は０ mＡを出力することを技術的特徴とする。
【００１５】
請求項４の発明は、検出した温度値・湿度値を送信する複数個の送信機と、前記複数個の送信機から送られた温度値・湿度値を受信し、該温度値・湿度値に対応させた０Ｖ又は０ mＡよりもオフセットした対応値を出力する温湿度受信機と、を備え、該温湿度受信機からの出力に基づき温度及び湿度を制御する空調装置であって、
前記温湿度受信機に、送信機側から送られたデータが異常、或いは、送信機からデータが送られない際には、
（Ａ）０Ｖ又は０ mＡを空調装置へ出力する、
（Ｂ）受信機側に備えられた温度又は湿度の検出装置の測定値を空調装置へ出力する、
（Ｃ）データ異常又はデータ不送信となる直前に送信機側から送られた検出値を空調装置へ出力する、
内の少なくとも３つの中から一つを選択できる選択手段を設けたことを技術的特徴とする。
【００１８】
【作用及び効果】
請求項１及び３の発明においては、送信機側から送られたデータが異常、或いは、送信機からデータが送られない際には、０Ｖ又は０ mＡを空調装置へ出力するため、空調装置側で送信機側の故障と判断して適切な制御を継続することができる。
【００２０】
請求項２及び４の発明では、送信機側から送られたデータが異常、或いは、データ不送信の際に、
（Ａ）０Ｖ又は０ mＡを空調装置へ出力する、（Ｂ）受信機側に備えられた温度又は湿度の検出装置の測定値を空調装置へ出力する、（Ｃ）データ異常又はデータ不送信となる直前の送信機側からの出力値を空調装置へ出力する、内から一つを選択できるため、空調装置の性能及び空調装置の制御する被制御対象に合わせて、送信側で異常が発生した際の最も適切な制御方法を選択することができる。
【００２２】
【発明の実施の形態】
以下、本発明の実施態様に係る温湿度受信機について、図を参照して説明する。図１は、温湿度受信機及び温湿度送信機の配置例を示している。
複数の温湿度送信機ＣＨ−０〜ＣＨ−１５は、室内の温度及び湿度をそれぞれ検出して、無線により検出した温度・湿度を一台の温湿度受信機側へ送信する。該温湿度受信機は、該送信機側から送られた温度・湿度データを図示しない空調装置へ送出し、該空調装置によって、室内の温度及び湿度を設定された値に保つ。
【００２３】
図２（Ａ）は、該温湿度送信機の構成を示すブロック図である。
該温湿度受信機１０は、温度センサ１１を用いて温度を測定する温度検出回路１２と、湿度センサ１４を用いて湿度を測定する湿度検出回路１６と、該温度検出回路１２及び湿度検出回路１６にて検出された温度及び湿度を図示しない液晶画面に表示する表示回路１８と、電源（電池）からの電圧を調整する電源回路３０と、電源電圧を監視する電源電圧監視回路３２と、１個のマイクロコンピュータから成り種々の制御動作を行う制御回路２０と、該制御回路２０側からの測定データ及び異常検出データを送信する無線通信回路３４とから構成されている。
【００２４】
該温度センサ１１及び湿度センサ１４は、ユニット構成とされ、温度検出回路１２及び湿度検出回路１６側に設けられたソケット（図示せず）から着脱し得るように構成され、劣化したセンサの定期交換を簡易に行えるように構成されている。制御回路２０は、温度検出回路１２及び湿度検出回路１６からの出力値を演算する測定演算部２０ａと、演算された測定値に異常がないかを監視する測定値監視部２０ｂと、電源電圧−温度センサ−湿度センサの異常を判定する異常判定部２０ｃとを有している。
【００２５】
図２（Ｂ）は、温湿度受信機５０の構成を示すブロック図である。
該温湿度受信機５０は、温湿度送信機１０側から送られたデータを受信する無線通信回路５４と、温度及び湿度を温度センサ・湿度センサ５１を用いて該温湿度受信機側で検出する代替出力用検出回路５２と、該温湿度送信機１０側から送られた温度及び湿度を図示しない液晶画面に表示する表示回路５８と、後述する異常時の制御方法を切り換えるための切替スイッチ５６と、電力を供給する電源回路７０と、空調装置側へ温度及び湿度値を出力する出力回路７２と、１個のマイクロコンピュータから成り種々の制御動作を行う制御回路６０とから構成されている。
【００２６】
制御回路６０は、温湿度送信機１０側から送られたデータが適切か及び該温湿度送信機１０側からデータが定期的に送られているかを判断する異常判定部６０ａと、異常時に該温湿度受信機５０側で測定した温度・湿度値を出力するための代替出力部６０ｂと、異常時に０  ｍＡ又は０Ｖを出力する出力部と６０ｃと、異常時に異常発生以前に受信し保持しておいた温湿度送信機１０側の測定値を出力する測定値保持部６０ｄとを備えており、該代替出力部６０ｂ、異常時に０  ｍＡまたは０Ｖを出力する出力部と６０ｃ、測定値保持部６０ｄのいずれかの出力を、異常発生時に切替スイッチの設定に応じて出力するよう構成されている。
【００２７】
引き続き、図２（Ａ）に示す温湿度送信機１０側の制御回路２０の動作について、図３のフローチャートを参照して説明する。
まず、温湿度送信機側の制御回路２０は、温度センサ１１及び湿度センサ１４により温度及び湿度を測定する（Ｓ１０）。次に、測定した温度値、湿度値に異常がないかを判定する（Ｓ１２）。例えば、湿度センサ１１を収容するユニットが抜け落ち、湿度値が通常ありえないような値（例えば湿度０％）の場合には、異常と判定して（Ｓ１２がＹｅｓ）、ステップ２０へ移行する。他方、温度値及び湿度値に異常がない場合には（Ｓ１２がＮｏ）、ステップ１４へ進み、電源の電圧を監視する。
【００２８】
そして、電源電圧に異常が無いかを判定する（Ｓ１６）。ここで、電池の消耗により電源電圧が下がっているときには異常と判定し（Ｓ１６がＹｅｓ）、ステップ２０へ移行する。他方、電源電圧が正常なときには（Ｓ１６がＮｏ）、ステップ１８へ移行して測定データを作成し、ステップ２２にて作成したデータを温湿度受信機５０側へ送信する。ここで、上記温度・湿度異常、又は、電源電圧異常と判断された場合には（Ｓ１２がＹｅｓ、Ｓ１６がＹｅｓ）、異常状態データを作成する（Ｓ２０）。
【００２９】
ここで、測定データ及び異常状態データの構成について、図６を参照して説明する。  測定データ及び異常状態データは、図６（Ａ）に示すように温湿度送信機のＩＤ（例えば、温湿度送信機が図１に示すＣＨ−１であれば、該ＣＨ−１であることを示すＩＤナンバー）と、温度データと、湿度データと、状態データとから成る。
【００３０】
状態データの内容を図６（Ｂ）に示す。状態データは、３ビットのデータからなり、先頭ビットは電源異常表示用で、電源異常時には〔１〕に、正常時に〔０〕となる。また、第２ビットは、温度センサ異常表示用で、異常時には〔１〕、正常時に〔０〕となる。また、第３ビットは、湿度センサ異常表示用で、異常時には〔１〕、正常時に〔０〕となる。即ち、本実施態様中では、該状態データのいずれかが〔１〕となった場合の送信データを送信した温湿度送信機は異常状態となっており、他方、該状態データの全てが〔０〕の場合の送信データを送信した温湿度送信機は正常状態である。
【００３１】
引き続き、図２（Ｂ）に示す温湿度受信機５０側の制御回路６０の動作について、図４のフローチャートを参照して説明する。
まず、温湿度受信機５０側の制御回路６０は、まず、温湿度送信機１０側からの測定データの送信があったかを判断する（Ｓ３０）。即ち、図１に示す温湿度送信機ＣＨ−０〜ＣＨ−１５は、所定周期（例えば１分毎）に測定データを送信しているため、それぞれの温湿度送信機から送信があったかを判定する。ここで、いずれかの温湿度送信機からの送信が途絶えたときには（Ｓ３０がＮｏ）、ステップ３６へ移行する。一方、データが適切に受信できたときには（Ｓ３０がＹｅｓ）、ステップ３２へ進み、測定データを受信する。
【００３２】
その後、測定データの状態データ中（図６（Ｂ）参照）に〔１〕が含まれるか、即ち、異常状態データが受信されたかを判断する（Ｓ３４）。ここで、異常状態データが受信された際には（Ｓ３４がＹｅｓ）、ステップ３６へ移行する。他方、適切な測定データが受信されているときには（Ｓ３４がＮｏ）、ステップ３８へ進み、測定データを空調装置側へ出力する。
【００３３】
一方、データの受信ができなかったとき（Ｓ３０がＮｏ）、又は、異常状態データが受信されたときには（Ｓ３４がＹｅｓ）、図２（Ｂ）に示す切替スイッチ５６にどの出力形態が選択されているかを判断する（Ｓ３６）。ここで、代替出力が選択されているときには、図２（Ｂ）に示す温湿度受信機の温度センサ・湿度センサ５１にて測定した温度値・及び湿度値を空調装置側へ出力する（Ｓ４０）。このときの出力波形（湿度値）を図５（Ａ）に示す。図中に示すように異常状態が発生しても、空調装置側へは湿度値及び温度値が送出され続ける。このため、温湿度送信機側から送られたデータが該温湿度送信機側での異常を示すとき、或いは、データ不送信の際にも、空調装置を、許容し得る範囲で制御を続けさせることができる。
【００３４】
他方、該ステップ３６にて、該切替スイッチ５６に０  ｍＡ又は０Ｖの出力が選択されているときには、選択された０  ｍＡ又は０Ｖを空調装置側へ出力する（Ｓ４２）。このときの出力波形（湿度値）を図５（Ｂ）に示す。ここで、空調装置によっては、異常状態を容易に判定するために、オフセットされた電流値、或いは、電圧値をその入力として用いていることがある。例えば、湿度測定値をオフセットされた電流値で表現すると、湿度０％のときに４  ｍＡとし、湿度１００％のときに２０  ｍＡとし、湿度０％から１００％までの間で電流値を４  ｍＡから２０  ｍＡまでリニアに変化させる。このため、電流が０  ｍＡになった際には、異常状態が生じたと容易に判別できる。かかる構成を採用する空調装置には、０  ｍＡ（オフセットされた電圧値で制御されている際には０Ｖ）を送出することで、データを送信しなかった、或いは、異常状態データを送出した温湿度送信機を個別に空調装置側に通知することができる。即ち、空調装置側で故障した温湿度送信機を判別して、適切な制御を続けることができる。
【００３５】
一方、該ステップ３６にて、該切替スイッチ５６に保持された測定値の出力が選択されているときには、当該温湿度送信機から送信された異常となる直前の測定値を空調装置側へ出力する（Ｓ４４）。このときの出力波形（湿度値）を図５（Ｃ）に示す。このため、温湿度送信機側から送られたデータが異常、或いは、データ不送信の際にも、空調装置を、許容し得る範囲で制御を継続させることが可能となる。
【００３６】
本実施態様では、３種類の中から一つを選択できるため、空調装置の性能及び空調装置の制御する被制御対象に合わせて、最も適切な制御方法を選択することができる。例えば、温湿度受信機に接続される温度センサ・湿度センサ５１を測定対象となる位置から近い場所に配置し得る時には、温湿度送信機側の温度センサ・湿度センサ５１にて空調装置を制御することが好適である。
【００３７】
一方、空調装置側で異常状態となったことを判別し、その対処方法を持ち合わせ、適切な制御を続け得る場合には、０  ｍＡまたは０Ｖを送出することで、データを送信しなかった、或いは、異常状態データを送出した温湿度送信機を個別に空調装置側へ通知することが好適である。他方、温度及び湿度が大きく変化しない環境下で温湿度送信機が用いられている場合には、温湿度送信機から送信された異常となる直前の測定値を空調装置側へ出力することが望ましい場合もある。本実施態様の温湿度受信機は、これら制御を任意に切り換えることができる。
【００３８】
なお、上述した実施態様では、異常時の制御を３種類の内の１つを選択させたが、上記３種類の制御の内の２つから１つを選ばせるようにも構成できる。
【００３９】
更に、図４に示す処理を実施態様では、マイクロコンピュータから成る制御回路６０が予め設定されたプログラムに基づき、ソフトウェア的に実施したが、この処理をディスクリートな回路構成にて実現することもできる。また、図２（Ｂ）に示す電源電圧監視回路３２による処理を、制御回路２０側でソフトウェア的に実施することも可能である。
【００４０】
また、上記実施態様では、温湿度送信機側で湿度値、温度値が異常か否かを判断して、異常が発生した際に異常状態データを温湿度受信機側へ送出したが、この温度値及び湿度値の異常判断を温湿度受信機側で行うことも可能である。即ち、温湿度送信機では、測定データの適否を判断せずに送信し、温湿度受信機側でデータが不適切と判断した際に、上述した処理を行うようにも構成できる。
【図面の簡単な説明】
【図１】本発明の一実施態様に係る温湿度送信機及び温湿度受信機の説明図である。
【図２】図２（Ａ）は温湿度送信機のブロック図であり、図２（Ｂ）は温湿度受信機のブロック図である。
【図３】温湿度送信機側での処理を示すフローチャートである。
【図４】温湿度受信機側での処理を示すフローチャートである。
【図５】図５（Ａ）、図５（Ｂ）、図５（Ｃ）は、異常状態における検出値を示す波形図である。
【図６】図６（Ａ）及び図６（Ｂ）は、温湿度送信機側の送信データの構成を示す説明図である。
【符号の説明】
１０  温湿度送信機（送信機）
１１  温度センサ
１４  湿度センサ
２０  制御回路
５０  温湿度受信機
５１  湿度センサ・湿度センサ（検出装置）
５６  切替スイッチ（選択手段）
６０  制御回路
【図１】
0003580984.tif 000002
【図２】
0003580984.tif 000003
【図３】
0003580984.tif 000004
【図４】
0003580984.tif 000005
【図５】
0003580984.tif 000006
【図６】
0003580984.tif 000007